(57)【特許請求の範囲】
【請求項１】
車載機によって再生可能な状態として存在する車載機側の再生対象データを情報処理装置側の再生対象データと同一内容にする同期処理を行うための同期データを生成し、生成された前記同期データを前記車載機に提供することによって前記同期処理を行う情報処理装置であって、
前記情報処理装置側の再生対象データのうちのユーザが指定した再生対象データを、この再生対象データを前記車載機に提供可能とされた携帯オーディオ再生装置に提供した際に、前記情報処理装置側の再生対象データのうち、前記携帯オーディオ再生装置に提供した再生対象データと重複せず、なおかつ前記車載機側の再生対象データとも重複しない再生対象データを、前記同期データとして抽出することにより、前記同期データを生成するように形成されていること
を特徴とする情報処理装置。
【請求項２】
前記再生対象データが、音楽データとされていることを特徴とする請求項１に記載の情報処置装置。
【請求項３】
無線通信または有線通信を介して前記同期処理が可能に形成されていることを特徴とする請求項１または請求項２に記載の情報処理装置。
【請求項４】
情報処理装置と車載機とを備え、前記情報処理装置に、前記車載機によって再生可能な状態として存在する前記車載機側の再生対象データを前記情報処理装置側の再生対象データと同一内容にする同期処理を行うための同期データを生成させ、前記情報処理装置に生成させた前記同期データを前記車載機に提供することによって前記同期処理を行う情報システムであって、
前記情報処理装置が、前記情報処理装置側の再生対象データのうちのユーザが指定した再生対象データを、この再生対象データを前記車載機に提供可能とされた携帯オーディオ再生装置に提供した際に、前記情報処理装置に、前記情報処理装置側の再生対象データのうち、前記携帯オーディオ再生装置に提供された再生対象データと重複せず、なおかつ前記車載機側の再生対象データとも重複しない再生対象データを、前記同期データとして抽出させることにより、前記同期データを生成させるように形成されていること
を特徴とする情報システム。
【請求項５】
前記再生対象データが、音楽データとされていることを特徴とする請求項４に記載の情報システム。
【請求項６】
無線通信または有線通信を介して前記同期処理が可能に形成されていることを特徴とする請求項４または請求項５に記載の情報システム。
【発明の詳細な説明】
【技術分野】
【０００１】
本発明は、情報処理装置および情報システムに係り、特に、情報処理装置と車載機との間で、再生対象データの同期処理を行うのに好適な情報処理装置および情報システムに関する。
【背景技術】
【０００２】
近年、車載機に適用される技術として、ユーザのホーム・コンピュータと車載機とを連携させて、ホーム・コンピュータから車載機に音楽データを取り込むことによって、車載機側の音楽データをホーム・コンピュータ側の音楽データと同一内容にする同期（シンク）処理を行うシステムが検討されている。
【０００３】
このようなシステムでは、ホーム・コンピュータと車載機とを無線ＬＡＮ等の通信手段によって接続し、特定の時刻に、ホーム・コンピュータから車載機に音楽データを自動的に転送（ダウンロード）することが想定されている。
【０００４】
【特許文献１】特開２００１−３１３７４１号公報
【発明の開示】
【発明が解決しようとする課題】
【０００５】
ところで、車載機によって再生可能な音楽データとしては、車載機に搭載されたＣＤ／ＤＶＤチェンジャ内に存在する音楽データ、車載機に内蔵されたハードディスクドライブ（ＨＤＤ）内に存在する音楽データまたは車載機に接続されるｉＰｏｄ（商標）内に存在する音楽データ等がある。
【０００６】
これらの車載機側の音楽データは、ホーム・コンピュータ側の音楽データと重複する場合がある。
【０００７】
このような場合を考慮せずに、同期処理の際に単純にホーム・コンピュータから車載機に音楽データを転送するのでは、既に車載機側に存在する音楽データと同一の音楽データを車載機に転送する場合があるため効率が悪い。また、車載機側に同一の音楽データを重複して保有させることになるため、車載機側で音楽データを再生しようとする際にユーザの混乱を招く虞があり、取り扱いが不便となる場合がある。
【０００８】
そこで、本発明は、このような点に鑑みなされたものであり、同期処理を効率的に行うことができ、車載機において再生対象データを再生する際の利便性を向上させることができる情報処理装置および情報システムを提供することを目的とするものである。
【課題を解決するための手段】
【００１１】
前述した目的を達成するため、本発明に係る情報処理装置は、情報処理装置側の再生対象データのうちのユーザが指定した再生対象データを、この再生対象データを車載機に提供可能とされた携帯オーディオ再生装置に提供した際に、前記情報処理装置側の再生対象データのうち、前記携帯オーディオ再生装置に提供した再生対象データと重複せず、なおかつ前記車載機側の再生対象データとも重複しない再生対象データを、前記同期データとして抽出することにより、前記同期データを生成するように形成されていることを特徴としている。そして、このように構成された情報処理装置によれば、携帯オーディオ再生装置に提供した再生対象データと重複せず、なおかつ車載機側の再生対象データとも重複しない内容の同期データを生成することが可能となる。
【００１３】
また、本発明に係る情報処理装置は、再生対象データが、音楽データとされていることを特徴としている。そして、このように構成された情報処理装置によれば、車載機側の音楽データまたはデバイスに提供した音楽データと重複しない内容の同期データを生成することが可能となる。
【００１４】
さらに、本発明に係る情報処理装置は、無線通信または有線通信を介して同期処理が可能に形成されていることを特徴としている。そして、このように構成された情報処理装置によれば、同期処理を簡便に行うことが可能となる。
【００２１】
さらにまた、本発明に係る情報システムは、情報処理装置が、前記情報処理装置側の再生対象データのうちのユーザが指定した再生対象データを、この再生対象データを前記車載機に提供可能とされた携帯オーディオ再生装置に提供した際に、前記情報処理装置に、前記情報処理装置側の再生対象データのうち、前記携帯オーディオ再生装置に提供された再生対象データと重複せず、なおかつ前記車載機側の再生対象データとも重複しない再生対象データを、前記同期データとして抽出させることにより、前記同期データを生成させるように形成されていることを特徴としている。そして、このように構成された情報システムによれば、情報処理装置に、携帯オーディオ再生装置に提供された再生対象データと重複せず、なおかつ車載機側の再生対象データとも重複しない内容の同期データを生成させることが可能となる。
【００２３】
さらに、本発明に係る情報システムは、再生対象データが、音楽データとされていることを特徴としている。そして、このように構成された情報システムによれば、情報処理装置に、車載機側の音楽データまたはデバイスに提供された音楽データと重複しない内容の同期データを生成させることが可能となる。
【００２４】
さらにまた、本発明に係る情報システムは、無線通信または有線通信を介して同期処理が可能に形成されていることを特徴としている。そして、このように構成された情報システムによれば、同期処理を迅速に行うことが可能となる。
【発明の効果】
【００２６】
本発明に係る情報処理装置および情報システムによれば、車載機側の再生対象データと重複しない内容の同期データを生成することができる結果、同期処理を効率的に行うことができ、車載機において再生対象データを再生する際の利便性を向上させることができる。また、車載機用のアプリケーションソフトとしての付加価値を向上させることができる。
【００２７】
また、本発明によれば、同期データを生成する際における情報処理装置への車載機側の再生対象データのリストの提供および同期処理の少なくとも一方を無線通信または有線通信を介して行うことができる結果、同期データの生成および同期処理の少なくとも一方をより簡便に行うことができる。
【００２８】
さらに、本発明によれば、音楽データについての同期処理を効率的に行うことができ、車載機において音楽データを再生する際の利便性を向上させることができる。
【発明を実施するための最良の形態】
【００２９】
（参考形態）
以下、参考形態について、図１乃至図３を参照して説明する。
【００３０】
図１に示すように、本参考形態における情報システム１は、情報処理装置としてのホーム・コンピュータ２と車載機３とを有しており、これらホーム・コンピュータ２と車載機３とは、ホーム・コンピュータ２に接続された無線通信手段としての無線ＬＡＮ５を介して互いに通信可能とされている。
【００３１】
図２に示すように、ホーム・コンピュータ２は、ホーム側ハードディスクドライブ（ＨＤＤ）６を有しており、このホーム側ハードディスクドライブ６には、ホーム・コンピュータ２側の音楽データ（以下、ホーム側音楽データと称する）が、ファイルに格納された状態として保存されている。
【００３２】
ホーム側ハードディスクドライブ６には、システムバス７を介してホーム側制御部９が接続されている。
【００３３】
このホーム側制御部９には、車載機３によって再生可能な状態として存在する車載機３側の音楽データ（以下、車載機側音楽データと称する）をホーム側音楽データと同一内容にする同期処理としてのシンク処理に要するホーム・コンピュータ２の動作が記述されたホーム・コンピュータ制御プログラムが格納されている。
【００３４】
ホーム側制御部９は、ホーム・コンピュータ制御プログラムを実行することによって、ホーム・コンピュータ２の動作を制御するようになっている。
【００３５】
ホーム側制御部９は、シンクデータ生成部１０を有しており、このシンクデータ生成部１０は、ホーム側制御部９の制御（ホーム・コンピュータ制御プログラムの実行）により、同期処理を行うための同期データとしてのシンクデータを生成するようになっている。
【００３６】
また、システムバス７には、ホーム・コンピュータ２を無線ＬＡＮ５に接続するホーム側無線ＬＡＮインターフェース（Ｉ／Ｆ）１１と、ホーム側音楽データ等のオーディオデータを再生してスピーカ１２から音声出力するホーム側オーディオ再生部１４とがそれぞれ接続されている。
【００３７】
一方、図２に示すように、車載機３は、車載機側ハードディスクドライブ（ＨＤＤ）１５を有しており、この車載機側ハードディスクドライブ１５には、車載機３側の音楽データ（以下、車載機側音楽データと称する）が、ファイルに格納された状態として保存されている。
【００３８】
なお、車載機側音楽データは、車載機３に搭載可能とされた図示しないＣＤ／ＤＶＤチェンジャのＣＤ、ＤＶＤに格納されたものであってもよいし、車載機３に接続可能とされた図示しない携帯オーディオ再生装置（ｉＰｏｄ等）に格納されたものであってもよい。
【００３９】
車載機側ハードディスクドライブ１５には、システムバス１６を介して車載機側制御部１８が接続されている。
【００４０】
この車載機側制御部１８には、シンク処理に要する車載機３の動作が記述された車載機制御プログラムが格納されている。
【００４１】
車載機側制御部１８、車載機制御プログラムを実行することによって、車載機３の動作を制御するようになっている。
【００４２】
なお、車載機制御プログラムは、ホーム・コンピュータ制御プログラムとともに情報システム１を制御する情報システム制御プログラムを構成している。
【００４３】
車載機側制御部１８は、リスト送信部１９を有しており、このリスト送信部１９は、シンクデータ生成部１０がシンクデータを生成する際に、車載機側制御部１８の制御（車載機制御プログラムの実行）により、車載機側音楽データのリストをホーム・コンピュータ２を送信先として送信するようになっている。
【００４４】
この車載機側音楽データのリストは、車載機側ハードディスクドライブ１５に格納された車載機側音楽データのリストであってもよく、または、ＣＤ／ＤＶＤチェンジャにおけるＣＤ、ＤＶＤに格納された車載機側音楽データのリストであってもよい。あるいは、車載機側音楽データのリストは、車載機３に現在接続されているか、または、過去に接続されたことがある携帯オーディオ再生装置の音楽データのリストであってもよい。なお、過去に接続されたことがある携帯オーディオ再生装置の音楽データのリストについては、過去における接続の際に車載機側ハードディスクドライブ１５に格納しておくようにしてもよい。
【００４５】
さらに、システムバス１６には、車載機３を無線ＬＡＮ５に接続する車載機側無線ＬＡＮインターフェース（Ｉ／Ｆ）２０と、車載機側音楽データ等のオーディオデータを再生してスピーカ２２から音声出力する車載機側オーディオ再生部２４とがそれぞれ接続されている。
【００４６】
本参考形態において、シンクデータ生成部１０は、ホーム側制御部９の制御により、前述した車載機３のリスト送信部１９から送信された車載機側音楽データのリストを、無線ＬＡＮ５およびホーム側無線ＬＡＮインターフェース１１を介して取得するようになっている。
【００４７】
そして、シンクデータ生成部１０は、取得された車載機側音楽データのリストを参照して、ホーム側ハードディスクドライブ６に格納されたホーム側音楽データのうちの車載機側音楽データと重複しない音楽データを、シンクデータとして抽出することによって、シンクデータを生成するようになっている。
【００４８】
ホーム・コンピュータ２は、シンクデータ生成部１０によって生成されたシンクデータを、ホーム側制御部９の制御によって車載機３を送信先として送信するようになっている。
【００４９】
ホーム・コンピュータ２から送信されたシンクデータは、無線ＬＡＮ５および車載機側無線ＬＡＮインターフェース２０を介して車載機側制御部１８によって取得される。
【００５０】
車載機側制御部１８は、ホーム・コンピュータ２から取得されたシンクデータ（ホーム側音楽データのうちの車載機側音楽データと重複しない音楽データ）を車載機側ハードディスクドライブ１５に追加することによって、車載機側音楽データをホーム側音楽データと同一内容にする（同期をとる）ようになっている。
【００５１】
このように、本参考形態においては、車載機側音楽データと重複しない内容の同期データを生成することが可能となる。
【００５２】
この結果、無駄な音楽データ（シンクデータ）を車載機３に送信することを防止することができ、シンク処理を効率的に行うことができる。また、既に存在する車載機側音楽データと重複する音楽データがシンク処理によって車載機３側に新たに追加されることがなくなるため、ユーザの混乱を防ぐことができ、車載機３において音楽データを再生する際の利便性を向上させることができる。
【００５３】
次に、本参考形態における情報システム１の動作について、図３を参照して説明する。
【００５４】
まず、図３のステップ１（ＳＴ１）において、車載機３は、予め設定された時刻になった場合に、シンク処理のためのシンクデータの生成およびこれに連続するシンク処理を開始する。
【００５５】
次いで、ステップ２（ＳＴ２）において、車載機３は、車載機側制御部１８の制御（車載機制御プログラムの実行）によって、無線ＬＡＮ５に接続する。
【００５６】
次いで、ステップ３（ＳＴ３）において、車載機３は、車載機側制御部１８の制御によって、ホーム・コンピュータ２にシンクデータを要求する。
【００５７】
次いで、ステップ４（ＳＴ４）において、ステップ３（ＳＴ３）における要求を受けたホーム・コンピュータ２は、ホーム側制御部９の制御（ホーム・コンピュータ制御プログラムの実行）によって、シンクデータを生成するために必要となる車載機側音楽データのリストを、車載機３に要求する。
【００５８】
次いで、ステップ５（ＳＴ５）において、ステップ４（ＳＴ４）における要求を受けた車載機３は、リスト送信部１９によって、車載機側音楽データのリストをホーム・コンピュータ２に送信する。
【００５９】
次いで、ステップ６（ＳＴ６）において、ステップ５（ＳＴ５）における車載機側音楽データのリストの送信を受けたホーム・コンピュータ２は、ホーム側制御部９の制御により、シンクデータ生成部１０にシンクデータを生成させる。
【００６０】
このとき、シンクデータ生成部１０は、ステップ５（ＳＴ５）によって取得した車載機側音楽データのリストを参照し、ホーム側音楽データのうちの車載機側音楽データと重複しない音楽データを、シンクデータとして抽出することによって、シンクデータを生成する。
【００６１】
次いで、ステップ７（ＳＴ７）において、ホーム・コンピュータ２は、ホーム側制御部９の制御により、シンク処理における本処理として、ステップ６（ＳＴ６）において生成されたシンクデータを車載機３に送信する。
【００６２】
次いで、ステップ８（ＳＴ８）において、車載機３は、車載機側制御部１８の制御により、シンク処理における本処理として、ステップ７（ＳＴ７）において送信されたシンクデータを車載機側ハードディスクドライブ１５に音楽データとして追加することによって、ホーム・コンピュータ２との同期をとる。
【００６３】
ここで、ステップ７（ＳＴ７）において送信されるシンクデータには、車載機側音楽データと重複する音楽データは含まれていないため、ステップ７（ＳＴ７）における処理は、無駄な音楽データのない効率的な処理となる。また、これにともなって、ステップ８（ＳＴ８）において、車載機側ハードディスクドライブ１５に車載機側音楽データと重複する音楽データが追加されることはない。
【００６４】
次いで、ステップ９において、車載機３は、車載機側制御部１８の制御によって無線ＬＡＮ５を切断する。
【００６５】
なお、シンク処理のためのシンクデータの生成と、シンク処理（本処理）とは、必ずしも連続して行う必要はない。例えば、シンクデータの生成が完了した時点でホーム・コンピュータ２と車載機３との通信を切断し、その後、車載機３からのシンクデータの要求があった場合に、ホーム・コンピュータ２と車載機３との通信を再接続し、ホーム・コンピュータ２から車載機３へシンクデータを送信するようにしてもよい。
【００６６】
また、ステップ８（ＳＴ８）の処理と、ステップ９（ＳＴ９）の処理とは、互いに前後してもよい。
【００６７】
（実施形態）
次に、本発明の実施形態について、参考形態との差異を中心に、図４乃至図６を参照して説明する。
【００６８】
なお、参考形態と基本的構成が同一もしくはこれに類する箇所については、同一の符号を用いて説明する。
【００６９】
図４に示すように、本実施形態における情報システム２６は、情報処理装置としてのホーム・コンピュータ２７と車載機２８とを有し、両者の間でシンクデータの授受によるシンク処理を行う点で、第１実施形態と同様である。
【００７０】
ただし、本実施形態における情報システム２６は、ホーム・コンピュータ２７に接続されたデバイスとしての携帯オーディオ再生装置３０（ｉＰｏｄ等）に対するホーム側音楽データの転送結果を、シンクデータの生成に反映させる点で、参考形態と特徴的な差異を有している。
【００７１】
すなわち、図５に示すように、本実施形態において、ホーム・コンピュータ２７のシステムバス７には、携帯オーディオ再生装置インターフェース（Ｉ／Ｆ）３１が接続されており、この携帯オーディオ再生装置インターフェース３１は、携帯オーディオ再生装置３０をホーム・コンピュータ２７に接続するようになっている。
【００７２】
ホーム・コンピュータ２７に接続された携帯オーディオ再生装置３０には、ホーム側ハードディスクドライブ６に格納されたホーム側音楽データのうちのユーザが指定した音楽データを転送可能とされている。
【００７３】
また、携帯オーディオ再生装置３０は、車載機２８に接続されることによって、携帯オーディオ再生装置３０に格納された音楽データを車載機２８に提供して車載機側オーディオ再生部２４によって再生させることが可能とされている。
【００７４】
本実施形態において、シンクデータ生成部３４は、ホーム側制御部３３の制御（ホーム・コンピュータ制御プログラムの実行）によってシンクデータを生成する際に、ホーム側音楽データのうちの携帯オーディオ再生装置３０に転送した音楽データと重複しない音楽データを、シンクデータとして抽出することによって、シンクデータを生成するようになっている。
【００７５】
ここで、前述のように、携帯オーディオ再生装置３０が車載機２８に音楽データを提供可能であることから、携帯オーディオ再生装置３０に転送した音楽データについても、車載機側ハードディスクドライブ１５等に格納されている音楽データと同様に、車載機２８によって再生可能な状態として存在する車載機側音楽データであることに変わりはない。
【００７６】
したがって、本実施形態のように、携帯オーディオ再生装置３０に転送した音楽データと重複しない音楽データをシンクデータとすることは、参考形態における車載機側音楽データと重複しない音楽データをシンクデータとすることと同様に、シンク処理の効率化を図り、ユーザの混乱を防止して車載機２８において音楽データを再生する際の利便性を向上させる観点から有効である。
【００７８】
次に、本実施形態における情報システム２６の動作について、図６を参照して説明する。
【００７９】
まず、図６のステップ１１（ＳＴ１１）において、ホーム・コンピュータ２７が、携帯オーディオ再生装置３０に対してホーム側音楽データのうちのユーザが指定した音楽データを転送すると、続くステップ１２（ＳＴ１２）において、シンクデータ生成部３４は、ホーム側制御部３３の制御（ホーム・コンピュータ制御プログラムの実行）により、シンクデータを生成する。
【００８０】
すなわち、シンクデータ生成部３４は、ホーム側音楽データのうちのステップ１１（ＳＴ１１）において携帯オーディオ再生装置３０に転送した音楽データと重複しない音楽データをシンクデータとして抽出することにより、シンクデータを生成する。
【００８１】
次いで、ステップ１３（ＳＴ１３）において、車載機２８は、予め設定された時刻になった場合に、シンク処理（本処理）を開始する。
【００８２】
次いで、ステップ１４（ＳＴ１４）において、車載機２８は、車載機側制御部３５の制御（車載機制御プログラムの実行）により、無線ＬＡＮ５に接続する。
【００８３】
次いで、ステップ１５（ＳＴ１５）において、車載機２８は、車載機側制御部３５の制御により、ホーム・コンピュータ２７にシンクデータを要求する。
【００８４】
次いで、ステップ１６（ＳＴ１６）において、ステップ１５（ＳＴ１５）における要求を受けたホーム・コンピュータ２７は、ホーム側制御部３３の制御により、ステップ１２（ＳＴ１２）において生成されたシンクデータを車載機２８に送信する。
【００８５】
次いで、ステップ１７（ＳＴ１７）において、車載機２８は、車載機側制御部３５の制御により、ステップ１６（ＳＴ１６）において送信されたシンクデータを車載機側ハードディスクドライブ１５に音楽データとして追加することによって、ホーム・コンピュータ２７との同期をとる。
【００８６】
ここで、ステップ１６（ＳＴ１６）において送信されるシンクデータには、車載機側音楽データと重複する音楽データは含まれていないため、ステップ１６（ＳＴ１６）における処理は、無駄な音楽データのない効率的な処理となる。また、これにともなって、ステップ１７（ＳＴ１７）において、車載機側ハードディスクドライブ１５に車載機側音楽データと重複する音楽データが追加されることはない。
【００８７】
次いで、ステップ１８において、車載機２８は、車載機側制御部３５の制御によって無線ＬＡＮ５を切断する。
【００８８】
なお、ステップ１７（ＳＴ１７）の処理と、ステップ１８（ＳＴ１８）の処理とは、互いに前後してもよい。
【００８９】
以上述べたように、本発明によれば、ホーム側音楽データのうちの車載機側音楽データと重複しない音楽データを、シンクデータとして抽出することができる結果、シンク処理を効率的に行うことができ、車載機３，２８において音楽データを再生する際の利便性を向上させることができる。
【００９０】
無線ＬＡＮ５を介してシンクデータの生成およびシンク処理を簡便に行うことができる。
【００９１】
なお、本発明は、前述した実施の形態に限定されるものではなく、必要に応じて種々の変更が可能である。
【００９２】
例えば、無線ＬＡＮ５以外の無線通信あるいは有線通信によって、ホーム・コンピュータと車載機とを通信可能に形成するようにしてもよい。
【００９３】
また、前述した実施形態においては、情報処理装置としてホーム・コンピュータが用いられているが、本発明は、このような構成に限定されるものではなく、ホーム・コンピュータ以外の情報処理装置にも有効に適用することができるものである。例えば、本発明は、情報センタに管理された個人用サーバにも有効に適用することができる。
【００９４】
さらに、本発明は、音楽データ以外の再生対象データ（映像データ等）にも有効に適用することができる。
【図面の簡単な説明】
【００９５】
【図１】情報システムの参考形態の概要を示す構成図
【図２】情報システムの参考形態の詳細を示すブロック図
【図３】情報システムの参考形態を示すシーケンス図
【図４】本発明に係る情報システムの実施形態の概要を示す構成図
【図５】本発明に係る情報システムの実施形態の詳細を示すブロック図
【図６】本発明に係る情報システムの実施形態を示すシーケンス図
【符号の説明】
【００９６】
１，２６  情報システム
２，２７  ホーム・コンピュータ
３，２８  車載機
【図１】
0004532394.tif 000002
【図２】
0004532394.tif 000003
【図３】
0004532394.tif 000004
【図４】
0004532394.tif 000005
【図５】
0004532394.tif 000006
【図６】
0004532394.tif 000007